(57)【要約】【課題】保管スペースを縮小できること、さらには、持ち運びに優れた組立式ボックスを提供する。【解決手段】天井材６と床材２とを外壁材３によって連結し、外壁材の開口部３５の側縁部に、一対の柱材４Ａ，４Ｂが互いに平行に立設されて、開口部の一方の側縁側の外壁材に、扉材５が開口部を開閉自在に固定されるように構成して組み立てた組立式ボックス１であって、床材と天井材との内のいずれか一方によって、上部が開放された箱体を形成し、他方によって、箱体の上部を覆うように箱体に装着される蓋体を形成して、外壁材と柱材と扉材とのいずれもが、折り目線によって折り曲げられて平面状に折り畳み可能とされており、箱体に、平面状に折り畳まれた外壁材と柱材と扉材とを収容可能にした。【選択図】図１
0003187241.tif 000002
【実用新案登録請求の範囲】
【請求項１】
天井材と床材とを外壁材によって連結し、前記外壁材の開口部の側縁部に、一対の柱材が互いに平行に立設されて、前記開口部の一方の側縁側の外壁材に、扉材が前記開口部を開閉自在に固定されるように構成して組み立てた組立式ボックスであって、
前記床材と前記天井材との内のいずれか一方によって、上部が開放された箱体を形成し、他方によって、前記箱体の上部を覆うように該箱体に装着される蓋体を形成して、
前記外壁材と前記柱材と前記扉材とのいずれもが、折り目線によって折り曲げられて平面状に折り畳み可能とされており、
前記箱体に、前記平面状に折り畳まれた前記外壁材と前記柱材と前記扉材とを収容可能にしたことを特徴とする組立式ボックス。
【請求項２】
前記開口部の他方の側縁側の前記柱材に、前記扉材の裏面に設けられた第１の面ファスナが着脱可能に接合する第２の面ファスナが設けられたことを特徴とする請求項１に記載の組立式ボックス。
【請求項３】
前記扉材の裏面に、前記組立式ボックスが使用可能であることを表示する第１表示部と、前記組立式ボックスが使用不能であることを表示する第２表示部とが設けられた操作部材をスライド可能に支持させて、
前記扉材に、前記操作部材をスライドさせることで、前記第１表示部又は前記第２表示部が表れる表示窓が形成されたことを特徴とする請求項２に記載の組立式ボックス。
【請求項４】
前記一対の柱材には、前記開口部を閉鎖した前記扉材の裏面と当接する戸当たり板が差し込まれる差し込み部が形成されたことを特徴とする請求項２又は３に記載の組立式ボックス。
【請求項５】
前記外壁材と前記柱材と前記扉材とを段ボール製としたことを特徴とする請求項１ないし４のいずれかに記載の組立式ボックス。
【請求項６】
前記天井材と前記床材とをプラスチック段ボール製としたことを特徴とする請求項１ないし５のいずれかに記載の組立式ボックス。
【請求項７】
前記天井材に、隣接する前記組立式ボックス同士を連結可能な連結具が挿嵌される挿嵌孔が設けられたことを特徴とする請求項１ないし６のいずれかに記載の組立式ボックス。
【請求項８】
前記天井材に、隣接する前記組立式ボックス同士を結束固定可能で可撓性を有する結束部材を挿通するための挿通孔が設けられたことを特徴とする請求項１ないし７のいずれかに記載の組立式ボックス。
【考案の詳細な説明】
【技術分野】
【０００１】
この考案は、天井材と床材とを外壁材によって連結し、前記外壁材の開口部の側縁部に、一対の柱材が互いに平行に立設されて、前記開口部の一方の側縁側の外壁材に、扉材が前記開口部を開閉自在に固定されるように構成して組み立てた組立式ボックスに関する。
【背景技術】
【０００２】
例えば特許文献１には、屋外に設置して使用される組立式トイレが開示されている。この組立式トイレは、便槽の上に載せられて便器を搭載した略長方形の床部ユニットの上面に、該床部ユニットの周囲を囲むように４つの壁面パネル部材の各下縁フランジ部をボルトで固定して、各壁面パネル部材の上縁フランジ部に、屋根パネルを載せて固定して組み立てられるものである。
【先行技術文献】
【特許文献】
【０００３】
【特許文献１】実用新案登録第３０５５０２０号公報
【考案の概要】
【考案が解決しようとする課題】
【０００４】
ところが、上記の組立式トイレに代表される組立式ボックスでは、床部ユニットと、各壁面パネル部材と、屋根パネルとに分解できるとしても、特に各壁面パネル部材の上下方向の寸法が大きいことから、保管スペースも大きくなるという不都合があった。さらには、各壁面パネル部材の前記寸法が大きいことが原因となって、分解した状態でも組立式ボックスが持ち運び難いという不都合もあった。
【０００５】
この考案は、このような状況に鑑み提案されたものであって、保管スペースを縮小できること、さらには、持ち運びに優れた組立式ボックスを提供することを目的とする。
【課題を解決するための手段】
【０００６】
請求項１の考案に係る組立式ボックスは、天井材と床材とを外壁材によって連結し、前記外壁材の開口部の側縁部に、一対の柱材が互いに平行に立設されて、前記開口部の一方の側縁側の外壁材に、扉材が前記開口部を開閉自在に固定されるように構成して組み立てた組立式ボックスであって、前記床材と前記天井材との内のいずれか一方によって、上部が開放された箱体を形成し、他方によって、前記箱体の上部を覆うように該箱体に装着される蓋体を形成して、前記外壁材と前記柱材と前記扉材とのいずれもが、折り目線によって折り曲げられて平面状に折り畳み可能とされており、前記箱体に、前記平面状に折り畳まれた前記外壁材と前記柱材と前記扉材とを収容可能にしたことを特徴とする。
【０００７】
請求項２の考案は、請求項１において、前記開口部の他方の側縁側の前記柱材に、前記扉材の裏面に設けられた第１の面ファスナが着脱可能に接合する第２の面ファスナが設けられたことを特徴とする。
【０００８】
請求項３の考案は、請求項２において、前記扉材の裏面に、前記組立式ボックスが使用可能であることを表示する第１表示部と、前記組立式ボックスが使用不能であることを表示する第２表示部とが設けられた操作部材をスライド可能に支持させて、前記扉材に、前記操作部材をスライドさせることで、前記第１表示部又は前記第２表示部が表れる表示窓が形成されたことを特徴とする。
【０００９】
請求項４の考案は、請求項２又は３において、前記一対の柱材には、前記開口部を閉鎖した前記扉材の裏面と当接する戸当たり板が差し込まれる差し込み部が形成されたことを特徴とする。
【００１０】
請求項５の考案は、請求項１ないし４のいずれかにおいて、前記外壁材と前記柱材と前記扉材とを段ボール製としたことを特徴とする。
【００１１】
請求項６の考案は、請求項１ないし５のいずれかにおいて、前記天井材と前記床材とをプラスチック段ボール製としたことを特徴とする。
【００１２】
請求項７の考案は、請求項１ないし６のいずれかにおいて、前記天井材に、隣接する前記組立式ボックス同士を連結可能な連結具が挿嵌される挿嵌孔が設けられたことを特徴とする。
【００１３】
請求項８の考案は、請求項１ないし７のいずれかにおいて、前記天井材に、隣接する前記組立式ボックス同士を結束固定可能で可撓性を有する結束部材を挿通するための挿通孔が設けられたことを特徴とする。
【考案の効果】
【００１４】
請求項１の考案に係る組立式ボックスによれば、箱体に、外壁材と柱材と扉材とが平面状に折り畳まれて収容されると、当該組立式ボックスの体積を縮小させることが可能になる。よって、この組立式ボックスの保管スペースを縮小することが可能になる。さらには、当該組立式ボックスの体積を縮小させることで、この組立式ボックスを持ち運び易くすることが可能になる。
請求項２の考案によれば、外壁材の開口部の他方の側縁側の柱材に設けられた第２の面ファスナに、扉材に設けられた第１の面ファスナを接合させることで、前記他方の側縁側の柱材に扉材を固定して開口部を閉鎖することが可能になる。一方、前記第２の面ファスナから前記第１の面ファスナを引き離すことで、前記他方の側縁側の柱材に対する扉材の固定を解除して開口部を開放することが可能になる。したがって、前記第１及び第２の面ファスナを用いることで、扉材で開口部を容易に開閉することが可能になる。
請求項３の考案によれば、扉材の表示窓に表れた第１表示部又は第２表示部を目視で確認することで、組立式ボックスの使用の可否を判別し易くなる。
請求項４の考案によれば、一対の柱材に、扉材の裏面と当接する戸当たり板の差し込み部を形成しただけの簡単な構成で、戸当たり板を各前記柱材に取り付けることが可能になる。
請求項５の考案によれば、外壁材、柱材、扉材が、段ボールが有する可撓性を利用して折り畳み易くなる。
請求項６の考案によれば、天井材及び床材は、プラスチック段ボール製としたことで、紙製の段ボールと比較して機械的強度を向上させることが可能になる。よって、外壁材と柱材と扉材とが折り畳まれて収容される箱体及び蓋体の耐久性を向上させることができる。
請求項７の考案によれば、各組立式ボックスの天井材に設けられた挿嵌孔に挿嵌された連結具を用いることで、隣接する組立式ボックス同士を簡単に連結することが可能になる。その結果、一方の組立式ボックスを他方の組立式ボックスに支持して安定させることが可能になる。
請求項８の考案によれば、結束部材が、可撓性を有するために容易に各組立式ボックスの挿通孔に挿通させ易くなる結果、隣接する組立式ボックス同士の結束固定作業が簡単になる。
【図面の簡単な説明】
【００１５】
【図１】本考案の実施形態の組立式ボックスの全体斜視図である。
【図２】組立式ボックスを構成する床材の全体斜視図ある。
【図３】組立式ボックスを構成する外壁材の全体正面図である。
【図４】組立式ボックスを構成する一の柱材の展開図である。
【図５】組立式ボックスを構成する他の柱材の展開図である。
【図６】組立式ボックスを構成する扉材の全体正面図である。
【図７】組立式ボックスが備える戸当たり板の展開図である。
【図８】扉材の裏面に着脱可能に固定される操作部材支持体の展開図である。
【図９】操作部材支持体にスライド可能に支持される操作部材の展開図である。
【図１０】扉材の裏面に固定された操作部材支持体に操作部材が支持された状態を示した図である。
【図１１】組立式ボックスを構成する天井材の全体斜視図である。
【図１２】折り畳んだ外壁材と柱材と扉材とを収容した箱体（床材）の上部を蓋体（天井材）で覆った状態を示す斜視図である。
【図１３】床材の後面内側及び右内側面に外壁材を連結して立設させた状態の説明図である。
【図１４】２つの外壁材の貫通孔に連結具を挿嵌した状態を示す図である。
【図１５】床材の後面内側及び左右の内側面に外壁材を連結した立設させた状態の説明図である。
【図１６】一の柱材で組み立てた左側柱を外壁材に連結させて床材の内底面に立設させた状態の説明図である。
【図１７】他の柱材で組み立てた右側柱を外壁材に連結させて床材の内底面に立設させた状態の説明図である。
【図１８】戸当たり板を左側柱と右側柱とに取り付ける際の説明図である。
【図１９】戸当たり板を左側柱と右側柱との間に延設した状態の説明図である。
【図２０】天井材を３つの外壁材の上端部と左右の側柱の上端部と戸当たり板の上端部とに被せた状態の説明図である。
【考案を実施するための形態】
【００１６】
本考案の実施形態を図１ないし図２０を参照しつつ説明する。図１に示す組立式ボックス１は、例えばトイレや更衣室として使用されるものである。この組立式ボックス１は、床材２と、外壁材３と、柱材４（４Ａ，４Ｂ）と、扉材５と、天井材６とを組み立てて構成される。図１及び図２に示す床材２は、プラスチック段ボールを折り目線において折り曲げることで、上部（図２の上側）が開放された箱体８に形成されている。図１及び図２に示すように箱体８とされた床材２の左右（図２の左右）の側面には、該床材２の前後方向（図２の右斜め手前奥方向）に所定の間隔をおいて貫通孔９がそれぞれ２つ設けられている。貫通孔９，９は、後述する外壁材３の貫通孔１２，１２（図３参照。）と対応する位置で前記左右の側面に設けられている。各貫通孔９には、床材２と外壁材３とを連結する連結具９５（図１４参照。）が着脱可能とされている。加えて図２に示すように床材２の後面にも、床材２の左右方向に所定の間隔をおいて貫通孔９が２つ設けられている。
【００１７】
図３に示す外壁材３は、段ボールにて形成されて該外壁材３の下端部を床材２の左右の内側面及び後面の内側に連結して支持することで、床材２の内底面に立設されるものである。図３に示すように外壁材３の下端部には、床材２の各貫通孔９と対応する位置に貫通孔１２がそれぞれ設けられている。また、外壁材３の上端部にも、該外壁材３の左右方向に所定の間隔をおいて貫通孔１３が２つ設けられている。さらに外壁材３の左右の端部には、該外壁材３の上下方向に所定の間隔をおいて貫通孔１４が５つ設けられている。加えて外壁材３は、左折り目線１６と右折り目線１７とを備えている。左折り目線１６は、外壁材３の左側辺から各貫通孔１４よりも右側辺側へ所定距離離れた位置に、該外壁材３の上下方向で該外壁材３の上辺から下辺にかけて形成されている。この左折り目線１６は、外壁材３の左端部を折り返すために用いられる。右折り目線１７は、外壁材３の右側辺から各貫通孔１４よりも左側辺側へ所定距離離れた位置に、該外壁材３の上下方向で該外壁材３の上辺から下辺にかけて形成されている。この右折り目線１７は、外壁材３の右端部を折り返すために用いられる。さらには外壁材３は、上折り目線１８と、下折り目線１９とを備えている。上折り目線１８は、外壁材３の上辺から下方へ所定距離離れた位置に、該外壁材３の左右方向で該外壁材３の左側辺から右側辺にかけて形成されている。この上折り目線１８は、外壁材３の上部を下向きに折り返す（山折りする）ために用いられる。下折り目線１９は、外壁材３の下辺から上方へ所定距離離れた位置に、該外壁材３の左右方向で該外壁材３の左側辺から右側辺にかけて形成されている。この下折り目線１９は、外壁材３の下部を上向きに折り返す（谷折りする）ために用いられる。ここでは、上折り目線１８及び下折り目線１９によって外壁材３の上部及び下部を折り返すことで、外壁材３は、その上部及び下部を該外壁材３の中央部に重ね合わせた三つ折り状態で押圧して平面状に折り畳み可能とされている。
【００１８】
図４に示す柱材４Ａは、段ボールにて形成された縦長の矩形をしたものである。この柱材４Ａは、柱材４Ａの左右方向に所定の間隔をおいて該柱材４Ａの上辺から下辺にかけて形成された折り目線２２を４つ備えている。これらの折り目線２２は、柱材４Ａを中空で上端及び下端に開口を有する四角柱となる左側柱に組み立てるために用いられる。図４に示ように柱材４Ａの左側辺には、該柱材４Ａの上下方向に所定の間隔をおいて差込突起２３が３つ設けられている。さらに、柱材４Ａの右側辺側で、該柱材４Ａを左側柱に組み立てるときに該柱材４Ａの左側辺と連接する折り目線２２上に、柱材４Ａを貫通して各差込突起２３を掛け止め可能なスリット２４がそれぞれ設けられている。加えて柱材４Ａには、左側柱の左側面となる部分で各外壁材３の各貫通孔１４（図３参照。）と対応する位置に貫通孔２５がそれぞれ設けられている。加えて柱材４Ａには、左側柱の正面となる部分に、該柱材４Ａの上下方向に所定の間隔をおいて薄板状の第２の面ファスナ２６が２つ貼り付けられている。さらに、柱材４Ａには、左側柱の右側面となる部分に、柱材４Ａの上辺から下方に切り欠かれた切欠溝２７が形成されている。この切欠溝２７には、後述する戸当たり板４３（図７及び図１８参照。）が差し込み可能とされている。また柱材４Ａには、左側柱の右側面となる部分に、縦長の貫通孔２８が設けられている。この貫通孔２８は、後述する操作部材６０のスライド方向前方側を該左側柱の内部に挿入可能とするために設けられている。これらに加えて柱材４Ａは、上折り目線２９と、下折り目線３０とを備えている。上折り目線２９は、柱材４Ａの上辺から下方へ所定距離離れた位置に、該柱材４Ａの左右方向で該柱材４Ａの左側辺から右側辺にかけて形成されている。この上折り目線２９は、柱材４Ａの上部を下向きに折り返す（山折りする）ために用いられる。下折り目線３０は、柱材４Ａの下辺から上方へ所定距離離れた位置に、該柱材４Ａの左右方向で該柱材４Ａの左側辺から右側辺にかけて形成されている。この下折り目線３０は、柱材４Ａの下部を上向きに折り返す（谷折りする）ために用いられる。ここでは、上折り目線２９及び下折り目線３０によって柱材４Ａの上部及び下部を折り返すことで、柱材４Ａは、その上部及び下部を該柱材４Ａの中央部に重ね合わせた三つ折り状態で押圧して平面状に折り畳み可能とされている。なお、柱材４Ａは本考案の開口部の他方の側縁側の柱材の一例である。
【００１９】
図５に示す柱材４Ｂは、柱材４Ａと同様に、縦長の矩形をしたものである。この柱材４Ｂも、柱材４Ａの折り目線２２と同様に折り目線３２を４つ備えている。これらの折り目線３２は、柱材４Ｂを中空で上端及び下端に開口を有する四角柱となる右側柱に組み立てるために用いられる。図５に示すように柱材４Ｂの右側辺には、柱材４Ａと同様の差込突起２３が、該柱材４Ｂの上下方向に所定の間隔をおいて３つ設けられている。さらに、柱材４Ａと同様のスリット２４が、柱材４Ｂの左側辺側で、該柱材４Ｂを右側柱に組み立てるときに該柱材４Ｂの右側辺と連接する折り目線３２上に、柱材４Ｂを貫通して設けられている。加えて柱材４Ｂには、右側柱の右側面となる部分で各外壁材３の上下方向で上から２番目及び４番目の貫通孔１４と対応する位置に、柱材４Ａと同様の貫通孔２５が設けられている。これと共に柱材４Ｂには、前記右側柱の右側面となる部分で各外壁材３の上下方向で上から１番目、３番目、５番目の貫通孔１４と対応する位置に、前記貫通孔２５よりも開口面積が大きい貫通孔３３がそれぞれ設けられている。さらに柱材４Ｂの左側面となる部分には、柱材４Ａと同様の切欠溝２７が形成されている。これらに加えて柱材４Ｂは、柱材４Ａと同様の上折り線２９と、下折り線３０とを備えている。柱材４Ａと同様に、柱材４Ｂについても、該柱材４Ｂの上部及び下部を該柱材４Ｂの中央部に重ね合わせた三つ折り状態で押圧して平面状に折り畳み可能とされている。
【００２０】
図６に示す扉材５は、段ボールにて形成されて、組立式ボックス１の前面開口部３５（図１参照。）を開閉可能とするものである。扉材５の前面左端部（図６の左側）で該扉体５の上下方向の中央部には、取っ手３６が取り付けられている。加えて、前記前面左端部と対向する扉材５の裏面にも取っ手３６（図１０参照。）が取り付けられている。扉材５には、正面視で取っ手３６の右側に該扉材５の前後方向に貫通する表示窓３７が設けられている。ここでは表示窓３７は円形の開口で構成されている。この表示窓３７は、後述するように組立式ボックス１の使用の可否を表示するために用いられる。また、扉材５の右端部（図６の右側）には、柱材４Ｂの各貫通孔３３（図５参照。）と対応する位置に貫通孔３８がそれぞれ設けられている。さらに扉材５は、右折り目線３９を備えている。右折り目線３９は、扉材５の右側辺から各貫通孔３８よりも左側辺側へ離れた位置に、該扉材５の上下方向で扉材５の上辺から下辺にかけて形成されている。この右折り目線３９は、扉材５の右端部を該扉材５の裏面側に折り返すために用いられる。そして扉材５の裏面には、該扉体５が前面開口部３５を閉鎖した状態で第２の面ファスナ２６，２６（図４参照。）と対向する位置に、薄板状の第１の面ファスナ４０，４０が貼り付けられている。加えて扉材５にも、上折り目線４１と、下折り目線４２とを備えている。上折り目線４１は、扉材５の上辺から下方へ所定距離離れた位置に、該扉材５の左右方向で該扉材５の左側辺から右側辺にかけて形成されている。この上折り目線４１は、扉材５の上部を下向きに折り返す（山折りする）ために用いられる。下折り目線４２は、扉材５の下辺から上方へ所定距離離れた位置に、該扉材５の左右方向で該扉材５の左側辺から右側辺にかけて形成されている。この下折り目線４２は、扉材５の下部を上向きに折り返す（谷折りする）ために用いられる。ここでは、上折り目線４１及び下折り目線４２によって扉材５の上部及び下部を折り返すことで、扉材５は、その上部及び下部を扉材５の中央部に重ね合わせた三つ折り状態で押圧して平面状に折り畳み可能とされている。
【００２１】
図７に示す戸当たり板４３は、柱材４Ａ及び柱材４Ｂの各切欠溝２７に差し込まれて、前面開口部３５を閉鎖した扉材５の裏面と当接するものである。この戸当たり板４３は、帯状の長辺本体部４４の下辺と、帯状の短辺本体部４５の上辺とが折り目線４６を介して連設されている。この戸当たり板４３は、折り目線４６によって、該戸当たり板４３の上下方向の中央位置で二つ折りすることが可能とされている。
【００２２】
図８には、操作部材支持体５０の展開図を示した。この操作部材支持体５０を形成する段ボール５１は、該段ボール５１の上下方向に所定の間隔をおいて該段ボール５１の左側辺から右側辺にかけて形成された折り目線５２を４つ備えている。これらの折り目線５２は、段ボール５１を横長かつ中空で左右の端部に開口を有する四角柱となる操作部材支持体５０（図１０参照。）に組み立てるために用いられる。図８に示すように段ボール５１の下辺には、差込突起５３が１つ設けられている。さらに、段ボール５１の上辺側で、該段ボール５１を操作部材支持体５０に組み立てるときに段ボール５１の下辺と連接する折り目線５２上に、段ボール５１を貫通して差込突起５３を掛け止め可能なスリット５４が設けられている。そして段ボール５１には、操作部材支持体５０の正面となる部分に、横長で段ボール５１を貫通する案内溝５５が設けられている。この案内溝５５からは、後述する操作部材６０をスライド操作するための操作突起８１，８４が突出して、この操作突起８１，８４は案内溝５５内を移動可能とされている。さらに段ボール５１には、操作部材支持体５０の後面となる部分に、扉材５の表示窓３７と略同径の貫通孔５７が設けられている。本実施形態では操作部材支持体５０が、貫通孔５７を表示窓３７と一致させた状態で扉材５の裏面に着脱可能に固定される。
【００２３】
一方図９には、操作部材６０の展開図を示した。操作部材６０を形成する段ボール６１を以下に説明する折り目線６４等において折り曲げることで、操作部材６０は、横長で中空の略直方体に形成される。段ボール６１は、操作部材６０の後面６２となる部分の左側辺に、操作部材６０の左側面６３となる部分が、折り目線６４を介して連設されている。
また、前記後面６２となる部分の右側辺には、操作部材６０の右側面６５となる部分が、折り目線６６を介して連設されている。さらに、左側面６３となる部分の左側辺には、操作部材６０の内側に折り込まれる左折込部６７が、折り目線６８を介して連設されている。加えて、前記右側面６５となる部分の右側辺には、操作部材６０の内側に折り込まれる右折込部６９が、折り目線７０を介して連設されている。さらには、後面６２となる部分の上辺に、操作部材６０の上面７１となる部分が、折り目線７２を介して連設されている。また、後面６２となる部分の下辺には、操作部材６０の下面７３となる部分が、折り目線７４を介して連設されている。加えて、前記上面７１となる部分の上辺には、操作部材６０の正面の上半分７５となる部分が、折り目線７６を介して連設されている。前記下面７３となる部分の下辺には、操作部材６０の正面の下半分７７となる部分が、折り目線７８を介して連設されている。そして、正面の上半分７５となる部分の上辺には、操作部材６０の後面側に折り込まれる上折り込み片７９が、折り目線８０を介して連設されている。この折り目線８０上には、前記上半分７５から突出可能な上操作突起８１が設けられている。また、前記正面の下半分７７となる部分の下辺には、操作部材６０の後面側に折り込まれる下折り込み片８２が、折り目線８３を介して連設されている。この折り目線８３上には、前記下半分７７から突出可能な下操作突起８４が設けられている。ここでは、段ボール６１を折り曲げて操作部材６０を形成する際には、上折り込み片７９及び下折り込み片８２が、左右の折込部６７，６９に設けた各切込溝８５内に係止された状態で、操作部材６０の内部に折り込まれる。
【００２４】
さらに図９に示すように操作部材６０の後面６２には、塗料で青色に着色した第１表示部８８と、塗料で赤色に着色した第２表示部８９とが設けられている。ここでは、第１及び第２表示部８８，８９は、後面６２の左右方向（図９の左右方向）に互いの位置をずらして並ぶように設けられている。例えば、組立式ボックス１の内部に、便槽と便器を備えた床置ユニットを配置して、組立式ボックス１をトイレとして使用する場合、第１表示部８８は、組立式ボックス１の内部が無人であって、トイレが使用可能であることを表示するために用いられる。一方第２表示部８９は、組立式ボックス１の内部に使用者がいるためにトイレが使用不能であることを表示するために用いられる。図１０には、操作部材６０を操作部材支持体５０に支持した状態を示した。操作部材６０は、両操作突起８１，８４を操作部材支持体５０の案内溝５５から突出させた状態で該操作部材支持体５０に挿入支持される。両操作突起８１，８４を案内溝５５に沿ってスライドさせると、操作部材６０は、操作部材支持体５０に支持されながら左右方向へスライド可能となる。操作部材６０がスライドすることで、扉材５の表示窓３７（図６参照。）と整合する第１又は第２表示部８８，８９が、表示窓３７に表れる。
【００２５】
図１及び図１１に示す天井材６は、プラスチック段ボールを折り目線において折り曲げることで、下部が開放された蓋体９０となるように形成される。図１２に示すように蓋体９０は、箱体８の開放された上部を覆うように箱体８に着脱可能とされている。本実施形態では箱体８に、上述した外壁材３と、柱材４Ａ，４Ｂと、扉材５とを平面状に折り畳んだ状態で収容して、蓋体９０で箱体８の上部を覆うことができる。このようにしたことで、組立式ボックス１の体積を縮小させることが可能になる。その結果、組立式ボックス１の保管スペースを縮小可能とし、さらには、組立式ボックス１を持ち運び易くすることが可能になる。本実施形態では、外壁材３を平面状に折り畳んだ際の寸法は６００ｍｍ×９０５ｍｍ、柱材４Ａ，４Ｂを平板状に折り畳んだ際の寸法は６００ｍｍ×３９０ｍｍ、扉材５を平面状に折り畳んだ際の寸法は５１０ｍｍ×８６０ｍｍとした。そして、箱体８の外形寸法は９２５ｍｍ×７１０ｍｍとした。なお図１２では、箱体８に設けられた各貫通孔９（図２参照。）の図示や、蓋体９０に設けられた後述の各貫通孔９１及び各挿通孔９２（図１１参照。）の図示を省略した。
【００２６】
図１及び図１１に示すように蓋体９０とされた天井材６の左右（図１１の左右）の側面には、外壁材３の貫通孔１３，１３（図３参照。）と対応する位置に貫通孔９１，９１が設けられている。各貫通材９１には、天井材６と外壁材３とを連結する連結具９５（図１４参照。）が着脱可能とされている。前記左右の側面で各貫通孔９１の外側近傍には、金属製ワイヤの挿通孔９２が上下２段に設けられている。加えて図１１に示すように天井材６の後面（図１１の奥側）にも、外壁材３の貫通孔１３，１３と対応する位置に貫通孔９１，９１が設けられている。天井材６の後面にも、各貫通孔９１の外側近傍に、挿通孔９２が上下２段に設けられている。
【００２７】
次に、組立式ボックス１の組立方法を説明する。図１２に示す箱体８から蓋体９０を取り外した後に、箱体８とされた床材２は、例えば地面に置かれる。その後この箱体８から、該箱体８に収容された外壁材３（３Ａ〜３Ｃ）と、柱材４（４Ａ，４Ｂ）と、扉材５とを取り出す。そして取り出した外壁材３Ａを平面状に展開した後に、該外壁材３Ａの左端部を、左折り目線１６（図１３参照。）において床材２の左内側面に沿うように折り曲げる。加えて、外壁材３Ａの右端部を、右折り目線１７（図１３参照。）において床材２の右内側面に沿うように折り曲げる。続いて図１３に示すように、この外壁材３Ａの下端部を床材２の後面（図１３中の左斜め奥側）の内側に当接させると共に、該外壁材３Ａの左端部の下方部分を床材２の左内側面（図１３中の右斜め手前側）に当接させ、該外壁材３Ａの右端部の下方部分を床材２の右内側面（図１３中の右斜め奥側）に当接させる。さらに箱体８から取り出した外壁材３Ｂを平面状に展開した後に、図１３に示す該外壁材３Ｂの左端部（図１３の左斜め奥側）に設けられた５つの貫通孔１４を、外壁材３Ａの右端部に設けられた５つの貫通孔１４（図３参照。）に重ねて連通させた状態で、外壁材３Ｂの下端部を床材２の右内側面に当接させる。この状態で図１４に示すように公知の連結具９５を、外壁材３Ａ側から外壁材３Ａの各貫通孔１４及び外壁材３Ｂの各貫通孔１４に挿嵌する。これにより、外壁材３Ｂの左端部と外壁材３Ａの右端部とが連結される。この連結具９５の後端上部及び後端下部には係止爪部が設けられており、各係止爪部は、連結具９５を貫通孔１４，１４に挿嵌したときに外壁材３Ｂに係止される。この連結具９５は、図１３に示す外壁材３Ａの下端部に設けられた貫通孔１２，１２と、これに連通する床材２の後面に設けられた貫通孔９，９（図２参照。）とにも挿嵌される。これにより外壁材３Ａは、床材２の後面の内側に連結されて立設する。さらに連結具９５は、図１３に示す外壁材３Ｂの下端部に設けられた貫通孔１２，１２と、これに連通する床材２の右側面に設けられた貫通孔９，９（図２参照。）とに挿嵌される。これにより外壁材３Ｂは、床材２の右内側面に連結されて立設する。
【００２８】
続いて箱体８から取り出した外壁材３Ｃを平面状に展開した後に、図１５に示す外壁材３Ａの左端部（図１５中の右斜め手前側）に設けられた５つの貫通孔１４を、外壁材３Ｃの左端部（図１５の左斜め奥側）に設けられた５つの貫通孔１４（図３参照。）に重ねて連通させた状態で、外壁材３Ｃの下端部を床材２の左内側面に当接させる。この状態で図１４に示す連結具９５を、外壁材３Ａ側から外壁材３Ａの貫通孔１４及び外壁材３Ｃの貫通孔１４に挿嵌する。これにより、外壁材３Ｃの左端部と外壁材３Ａの左端部とが連結される。さらに、図１４に示す連結具９５は、外壁材３Ｃの下端部に設けられた貫通孔１２，１２（図３参照。）と、これに連通する床材２の左側面に設けられた貫通孔９，９（図１５参照。）とにも挿嵌される。これにより外壁材３Ｃは、床材２の左内側面に連結されて立設する。
【００２９】
これに続いて箱体８から取り出した柱材４Ａ（図４参照。）を平面状に展開した後に、柱材４Ａを図４に示す折り目線２２において折り曲げると共に、各差込突起２３を各スリット２４に掛け止めする。これにより、柱材４Ａを中空で上端及び下端に開口を有する四角柱となる左側柱に組み立てる。図１６に示すように、柱材４Ａで組み立てた左側柱を、前面開口部３５の左側縁部となる外壁材３Ｃの右端部（図１６の左斜め手前側）に沿って、床材２の内底面に直立させる。この状態では、図１６に示す外壁材３Ｃの右端部に設けられた５つの貫通孔１４と、柱材４Ａに設けられた５つの貫通孔２５（図４参照。）とが連通する。そして図１４に示す連結具９５を、外壁材３Ｃ側から外壁材３Ｃの各貫通孔１４（図１６参照。）と各前記貫通孔２５とに挿嵌する。これにより左側柱（柱材４Ａ）は、外壁材３Ｃに連結されて床材２の内底面に立設する。
【００３０】
その後、箱体８から取り出した柱材４Ｂ（図５参照。）を平面状に展開した後に、柱材４Ｂを図５に示す折り目線３２において折り曲げると共に、各差込突起２３を各スリット２４に掛け止めする。これにより、柱材４Ｂを中空で上端及び下端に開口を有する四角柱となる右柱材に組み立てる。図１７に示すように、柱材４Ｂで組み立てた右柱材を、前面開口部３５の右側縁部となる外壁材３Ｂの右端部（図１７の左斜め手前側）に沿って、床材２の内底面に直立させる。この状態では、図１７に示す外壁材３Ｂの右端部に設けられた上から２番目及び４番目の各貫通孔１４と、柱材４Ｂに設けられた上から２番目及び４番目の各貫通孔２５（図５参照。）とが連通する。そして図１４に示す連結具９５を、外壁材３Ｂ側から外壁材３Ｂの各前記貫通孔１４（図１７中の点線部参照。）と各前記貫通孔２５とに挿嵌する。これにより右側柱（柱材４Ｂ）は、外壁材３Ｂに連結されて床材２の内底面に立設する。その結果図１７に示すように、前面開口部３５の左右の側縁部に、左側柱（柱材４Ａ）と右側柱（柱材４Ｂ）とが互いに平行に立設される。
【００３１】
その後には図１８及び図１９に示すように、前面開口部３５の上部（図１８及び図１９の上側）であって左側柱（柱材４Ａ）と右側柱（柱材４Ｂ）との間に、戸当たり板４３が掛け渡される。ここでは戸当たり板４３は、折り目線４６（図７参照。）によって二つ折りにした上で、長辺本体部４４の左端部が柱材４Ａの切込溝２７（図４参照。）に差し込まれると共に、長辺本体部４４の右端部が柱材４Ｂの切込溝２７（図５参照。）に差し込まれる。これにより短辺本体部４５が、前面開口部３５の上部で左側柱（柱材４Ａ）と右側柱（柱材４Ｂ）との間に延設される。なお、柱材４Ａ，４Ｂの各切込溝２７は本考案の差し込み部の一例である。
【００３２】
左側柱（柱材４Ａ）と右側柱（柱材４Ｂ）との間に、戸当たり板４３が掛け渡された後には、蓋体９０とされた天井材６の開口部を下向きにして、図２０に示すように、天井材６が、各外壁材３Ａ〜３Ｃの上端部、左右の側柱（柱材４Ａ，４Ｂ）の上端部及び短辺本体部４５の上端部に被せられる。この状態では、外壁材３Ｃの上端部に設けられた貫通孔１３，１３（図３参照。）と、図２０に示す天井材６の左側面に設けられた貫通孔９１，９１（図２０中の実線部参照。）とが連通し、外壁材３Ｂの上端部に設けられた貫通孔１３，１３（図３参照。）と、図２０に示す天井材６の右側面に設けられた貫通孔９１，９１（図２０中の点線部参照。）とが連通する。そして、図１４に示す連結具９５を、天井材６側から天井材６の左側面の各前記貫通孔９１と、外壁材３Ｃの各前記貫通孔１３とに挿嵌する。加えて連結具９５を、天井材６側から天井材６の右側面の各貫通孔９１と、外壁材３Ｂの各前記貫通孔１３とに挿嵌する。これにより天井材６は、各外壁材３Ｂ，３Ｃに連結固定される。
【００３３】
そして、図６に示す扉材５の右端部を、右折り目線３９において図２０に示す外壁材３Ｂの外面に沿うように折り曲げる。その後、この扉材５の右端部に設けられた３つの貫通孔３８（図６参照。）を、外壁材３Ｂの右端部に設けられた上から１番目、３番目、５番目の貫通孔１４（図３参照。）に重ねて連通させた状態で、扉材５の右端部を外壁材３Ｂの右端部に当接させる。このとき、外壁材３Ｂの前記１番目、３番目、５番目の貫通孔１４（図１中の点線部参照。）は、柱材４Ｂの各貫通孔３３（図５参照。）とそれぞれ連通している。そして図１４に示す連結具９５を、外壁材３Ｂの外面側から、前記１番目、３番目、５番目の貫通孔１４と各貫通孔３３とに挿嵌する。これにより、扉材５が外壁材３Ｂに連結される。この扉材５は、右折り目線３９で折り曲げられることにより、前面開口部３５との接離方向へ回転可能とされている。組立式ボックス１の使用者が、扉材５の裏面の取っ手３６を持って扉材５を前面開口部３５に向けて回転させると、扉材５の第１の面ファスナ４０，４０（図６参照。）を、柱材４Ａの第２の面ファスナ２６，２６（図２０参照。）に接合させることができる。これにより、扉材５の裏面を短辺本体部４５に当接させながら扉材５を柱材４Ａに固定して、図１に示すように扉材５で前面開口部３５を閉鎖できる。一方、使用者が、組立式ボックス１の内部から扉材５の裏面の取っ手３６を持って扉材５を前面開口部３５との離間方向へ回転させると、扉材５の第１の面ファスナ４０，４０を前記第２の面ファスナ２６，２６から引き離すことができる。これにより、柱材４Ａに対する扉材５の固定を解除して前面開口部３５を開放できる。なお、外壁材３Ｂは本考案の開口部の一方の側縁側の外壁材の一例である。
【００３４】
さらに図１０に示したように、扉材５の裏面に操作部材支持体５０を固定した上で、操作部材６０を挿入支持させる。本実施形態では、トイレとして使用する組立式ボックス１の内部の使用者が、両操作突起８１，８４を案内溝５５に沿って案内溝５５の終端までスライドさせると、操作部材６０のスライド方向前方側が柱材４Ａの貫通孔２８（図４参照。）から該柱材４Ａの内部に挿入される。このとき、表示窓３７（図１参照。）に第２表示部８９（図９参照。）が表れる。これにより、組立式ボックス１の外部から表示窓３７に表れた第２表示部８９を目視で確認することで、トイレが使用不能であることを判別できる。また、仮に誤って使用者以外の者が組立式ボックス１の外部から扉材５を前面開口部３５との離間方向へ回転させようとしても、操作部材６０のスライド方向前方側が柱材４Ａに挿入係止されるため、前記離間方向への扉材５の回転を阻止できる。一方、使用者が組立式ボックス１を出る際には、該使用者が両操作突起８１，８４を案内溝５３に沿って案内溝５３の始端までスライドさせると、操作部材６０のスライド方向前方側が柱材４Ａの内部から抜かれ、表示窓３７に第１表示部８８（図９参照。）が表れる。これにより、組立式ボックス１の外部から表示窓８９に表れた第１表示部８８を目視で確認することで、トイレが使用可能であることを判別できる。
【００３５】
＜本実施形態の効果＞
本実施形態の組立式ボックス１では、箱体８とされた床材２に、外壁材３Ａ〜３Ｃと、柱材４Ａ，４Ｂと、扉材５とが平面状に折り畳まれて収容されると、該組立式ボックス１の体積を縮小させることが可能になる。よって、この組立式ボックス１の保管スペースを縮小させることが可能になる。さらには、該組立式ボックス１の体積を縮小させることで、この組立式ボックス１を持ち運び易くすることが可能になる。
【００３６】
また、扉材５によって開閉される前面開口部３５の左右の側縁部に、左側柱（柱材４Ａ）と右側柱（柱材４Ｂ）とを互いに平行に立設させて、両柱材４Ａ，４Ｂに、扉材５の裏面と当接する戸当たり板４３を差し込み可能な切欠溝２７を形成しただけの簡単な構成で、戸当たり板４３を各柱材４Ａ，４Ｂに取り付けることが可能になる。
【００３７】
さらに、扉材５の第１の面ファスナ４０，４０を、柱材４Ａの第２の面ファスナ２６，２６に接合させることで、扉材５を柱材４Ａに固定して、扉材５で前面開口部３５を閉鎖できる。一方、扉材５の第１の面ファスナ４０，４０を、前記第２の面ファスナ２６，２６から引き離すことで、柱材４Ａに対する扉材５の固定を解除して前面開口部３５を開放できる。したがって、第１の面ファスナ４０，４０及び第２の面ファスナ２６，２６を用いることで、扉材５で前面開口部３５を容易に開閉することが可能になる。
【００３８】
加えて、例えば組立式ボックス１をトイレとして使用する場合に、扉材５の表示窓３７に表れたトイレが使用可能であることを表示す第１表示部８８又はトイレが使用不能であることを表示する第２表示部８９を目視で確認することで、組立式ボックス１の使用の可否を判別し易くなる。
【００３９】
さらに加えて、外壁材３Ａ〜３Ｃと、柱材４Ａ，４Ｂと、扉材５とを段ボール製としたことで、外壁材３Ａ〜３Ｃ、柱材４Ａ，４Ｂ、扉材５が、段ボールが有する可撓性を利用して折り畳み易くなる。
【００４０】
さらには、天井材６及び床材２は、プラスチック段ボール製としたことで、紙製の段ボールと比較して機械的強度を向上させることが可能になる。よって、外壁材３Ａ〜３Ｃと、柱材４Ａ，４Ｂと、扉材５とが折り畳まれて収容される箱体８とされた床材２及び蓋体９０とされた天井材６の耐久性を向上させることができる。
【００４１】
本考案は、上述した実施形態に限定されるものではなく考案の趣旨を逸脱しない範囲内において構成の一部を適宜変更して実施できる。上述した実施形態では組立式ボックス１を単独でトイレとして使用する例を示したが、これに限らず、例えば、隣接する複数の組立式ボックス同士を連結して、この連結した組立式ボックス１，１・・を更衣室として使用してもよい。一例として、左右方向で組立式ボックス１を隣接させる場合には、互いに対向する一方の天井材６の貫通孔９１，９１を、他方の天井材９の貫通孔９１，９１と連通させて、連結部９５（図１４参照。）を、一方の天井材６の貫通孔９１，９１と、他方の天井材９の貫通孔９１，９１とに挿嵌してもよい。これにより、一方の組立式ボックス１の天井材６と他方の組立式ボックス１の天井材６とを簡単に連結することが可能になる。その結果、一方の組立式ボックス１を他方の組立式ボックス１に支持して安定させることが可能になる。なお、各貫通孔９１は本考案の挿嵌孔の一例である。
【００４２】
また、左右方向で一方の組立式ボックス１の天井材６と他方の組立式ボックス１の天井材６とを連結する方法としては、連結具９５を用いる以外にも、互いに対向する一方の天井材６の上下２段の挿通孔９２，９２と、他方の天井材６の上下２段の挿通孔９２，９２とに金属製ワイヤをループ状となるように挿通させてもよい。この金属製ワイヤは、可撓性を有することから容易に各挿通孔９２に挿通させ易くなる結果、一方の組立式ボックス１と他方の組立式ボックス１との結束固定作業が簡単になる。なお、金属製ワイヤは本考案の結束部材の一例である。
【００４３】
さらに、上述した実施形態とは異なり、第１及び第２表示部８８，８９は、塗料による着色領域に限らず、例えば、第１表示部を「入」の文字が記載されラベルで構成したり、第２表示部を「空」の文字が記載されたレベルで構成してもよい。加えて、床材２にも、隣接する複数の組立式ボックス同士を連結可能とするために、天井材６と同様の挿通孔９２を設けてもよい。さらに加えて、上述した金属製ワイヤに代えて、例えば合成樹脂製の紐により、一方の組立式ボックス１と他方の組立式ボックス１とを結束固定してもよい。また、上述した実施形態とは異なり、外壁材３Ａ〜３Ｃと、柱材４Ａ，４Ｂと、扉材５とを、例えば軟質合成樹脂にて形成して、外壁材３Ａ等を、折り目線によって平面状に折り畳み可能としてもよい。特に、外壁材３Ａ〜３Ｃについては、プラスチック段ボールにて形成してもよい。さらに上述した実施形態では、外壁材３Ａ〜３Ｃ、柱材４Ａ，４Ｂ、扉材５を折り目線によってそれぞれ三つ折りにして折り畳む例を示したが、これに限らず、前記外壁材３Ａ〜３Ｃ等を二つ折りや四つ折り等して折り畳むようにしてもよい。加えて、上述した実施形態とは異なり、天井材６によって上部が開放された箱体を形成し、床材２によって下部が開放された蓋体を形成して、この蓋体によって、該箱体の開放された上部を覆うようにしてもよい。
【符号の説明】
【００４４】
１・・組立式ボックス、２・・床材、３（３Ａ〜３Ｃ）・・外壁材、４（４Ａ，４Ｂ）・・柱材、５・・扉材、６・・天井材、８・・箱体、２６・・第２の面ファスナ、２７・・柱材の切込溝、３５・・前面開口部、３７・・扉材の表示窓、４０・・第１の面ファスナ、４３・・戸当たり板、８８・・第１表示部、８９・・第２表示部、９０・・蓋体、９１・・貫通孔、９２・・挿通孔、９５・・連結具。
【図１】
0003187241.tif 000003
【図２】
0003187241.tif 000004
【図３】
0003187241.tif 000005
【図４】
0003187241.tif 000006
【図５】
0003187241.tif 000007
【図６】
0003187241.tif 000008
【図７】
0003187241.tif 000009
【図８】
0003187241.tif 000010
【図９】
0003187241.tif 000011
【図１０】
0003187241.tif 000012
【図１１】
0003187241.tif 000013
【図１２】
0003187241.tif 000014
【図１３】
0003187241.tif 000015
【図１４】
0003187241.tif 000016
【図１５】
0003187241.tif 000017
【図１６】
0003187241.tif 000018
【図１７】
0003187241.tif 000019
【図１８】
0003187241.tif 000020
【図１９】
0003187241.tif 000021
【図２０】
0003187241.tif 000022